(57)【特許請求の範囲】
【請求項１】
足部付き防護管を挟持せしめるべく略半筒状とされた両側一対の挟持片よりなり、上記各挟持片の一側部はその内径を自由に調整せしめるべく調整手段を介して連結部材により連結されると共に、各挟持片の他側部には足部を挟持せしめるべく互いに係着自在な挟持部材が対向状に突設され、上記調整手段は、両側の挟持片の各々にその周方向に沿って形成されていて且つ少なくとも両端に掛止孔が連通状に設けられている長孔と、該各長孔に嵌合せしめつつ所要の掛止孔に掛止せしめるべく連結部材の両側に各々突設された留具とより構成されてなることを特徴とする、防護管の落下防止具。
【請求項２】
挟持部材に対向すべく連結部材には足部を挟持せしめる挟持部が形成されてなることを特徴とする、請求項１記載の防護管の落下防止具。
【請求項３】
挟持片の少なくとも一方には把持片が突設されてなることを特徴とする、請求項１または２記載の防護管の落下防止具。
【発明の詳細な説明】
【０００１】
【発明の属する技術分野】
本発明は、架空配電線に挿通せしめた防護管の落下を防止せしめる防止具に関する。
【０００２】
【従来の技術、及び発明が解決しようとする課題】
従来より、架空配電線路付近において増加する土木建築工事などに伴い架空配電線の信頼向上、公衆保安の確保、あるいは災害防止を図るため、架空配電線にポリ管や絶縁電線用保護管などの防護管を取付ける防護工事が頻繁に行われている。
ところで、例えば、ポリ管５１ａは図９に示すように、弾性を有する合成樹脂製ポリ管本体５２の長手方向に沿って拡開用の開口部５３が形成されると共に、該開口部５３の両側縁に沿って各々一対の閉塞用足部５４ａが対向状に突設された構成よりなるものである。そして、かかるポリ管５１ａを架空配電線５５の所要個所に取付けるさいには、ポリ管本体５２の弾性力に抗して足部５４ａを外方に拡開せしめつつ、架空配電線５５に外嵌状に挿入せしめると共に、両側の足部５４ａを原状に復帰せしめて開口部５３を閉塞せしめることにより取付けるものである（図９参照）。
【０００３】
しかしながら、上述の如くポリ管５１ａは、架空配電線５５に外嵌状に挿入せしめると共に、両側の足部５４ａを当接して開口部５３を閉塞することにより取付けるものであるから、その取付けは不確実であり、強風や振動等によりポリ管５１ａの足部５４ａを拡開作動せしめて落下せしめるおそれがあるものである。
このため、従来より、ポリ管５１ａの取付け後にテ−プ（図示略）を巻付けて足部５４ａの拡開を阻止せしめ、ポリ管５１ａの落下を有効に防止せしめる方法が採られているが、テ−プの巻付けを手作業により行うものであるから、その巻付け作業が非常に面倒で手間がかかるのみならず、感電事故など不測の事故を惹起せしめやすいものである。
【０００４】
かかる従来の問題点を解決するものとして図８及び図９に示す落下防止具が知られており、これを同図に基づいて説明する。
即ち、同図中、５６は弾性を有する合成樹脂製の落下防止具、５７は該落下防止具５６を構成する両側一対の半筒状挟持片、５８は該各挟持片５７の一側部を一体に連結せしめる略Ｕ字形状の連結部、５９は該連結部５８により区画形成された足部用嵌合部、６０は同他側部に拡開自在に形成された開口部で、該開口部６０は両側挟持片５７の弾性力により常時閉塞せしめられている。６１は該開口部６０の両側縁に沿って外拡状に突設された両側一対のガイド片である。
【０００５】
上述の如く構成された落下防止具５６は、図９に示すように、ヤットコなどの間接活線把持工具６２により連結部５８を把持せしめつつ、架空配電線５５に取付けられたポリ管５１ａにアプロ−チせしめる。そして、ガイド片６１により足部５４ａをガイドせしめつつポリ管本体５２に押圧せしめ、弾性力に抗して挟持片５７を外側方に拡開してポリ管本体５２を嵌合せしめると共に、嵌合部５９に足部５４ａを嵌合せしめ、しかるのち、挟持片５７を原状に復帰せしめて開口部６０を閉塞することにより取付けるものである。
【０００６】
しかしながら、上述の如く構成された従来例は、間接活線工法により安全に取付けることが出来る反面、ポリ管本体５２および足部５４ａを嵌合保持せしめつつ単に挟持片５７の弾性力により開口部６０を閉塞せしめて取付けるものであるから、その取付けは不十分、かつ、不確実であり、落下防止機能を有効に発揮せしめずらいものである。
【０００７】
本発明は、かかる従来の問題点を解決し、常に迅速、かつ、確実に、しかも安全に取付けることが出来る防護管の落下防止具を提供しようとするものである。
【０００８】
【課題を解決するための手段】
即ち、請求項１記載の発明は、足部付き防護管を挟持せしめるべく略半筒状とされた両側一対の挟持片よりなり、上記各挟持片の一側部はその内径を自由に調整せしめるべく調整手段を介して連結部材により連結されると共に、各挟持片の他側部には足部を挟持せしめるべく互いに係着自在な挟持部材が対向状に突設され、上記調整手段は、両側の挟持片の各々にその周方向に沿って形成されていて且つ少なくとも両端に掛止孔が連通状に設けられている長孔と、該各長孔に嵌合せしめつつ所要の掛止孔に掛止せしめるべく連結部材の両側に各々突設された留具とより構成されてなることを特徴とする、防護管の落下防止具を要旨とするものである。
【０００９】
請求項２記載の発明は、挟持部材に対向すべく連結部材には足部を挟持せしめる挟持部が形成されてなることを特徴とする、請求項１記載の防護管の落下防止具を要旨とするものである。
【００１０】
請求項３記載の発明は、挟持片の少なくとも一方には把持片が突設されてなることを特徴とする、請求項１または２記載の防護管の落下防止具を要旨とするものである。
【００１１】
【発明の実施の形態】
以下に、本発明の実施の形態を図面に示す一実施例に基づいて説明する。
図１〜図５は本発明の一実施例を示すもので、同図中、１ａは弾性を有する合成樹脂製の落下防止具、２は該落下防止具１ａを構成する両側一対の半筒状挟持片で、該各挟持片２内の内径はポリ管本体５２を挟持せしめるべく所要の寸法に設定せしめられている。３は足部５４ａを挟持せしめるべく各挟持片２の一側に対向状に突設された一対の挟持部材、４ａは各挟持部材３の対向面に段落状に形成された挟持部、５は一方の挟持部材３先部に突設された係合突起、６は該係合突起５に対応すべく他方の挟持部材３に形成された係合孔、７は一方の挟持部材３外側面に突設された把持片である。８は前記各挟持片２の他側部に各々周方向へ向けて対向形成された内径調整用の長孔、９・１０は該各長孔８の上下端部に各々連通状に横設された上部掛止孔と下部掛止孔、１１は各挟持片２の他側部を拡開自在に連結せしめる弾性を備えた下向きＵ字形状の連結部材で、該連結部材１１はその両側に突設された一対の留具１２を長孔８に嵌合せしめつつ上下部掛止孔９・１０の一方に掛止せしめることにより挟持片２の周方向に沿って可動自在に連結されている。１３ａは前記挟持部材３の挟持部４ａに対向すべく連結部材１１の中心に形成された足部用挟持部である。
【００１２】
上述の如く構成された落下防止具１ａを架空配電線５５に取付けられたポリ管５１ａに取付けるさいには、先ず、挟持片２の内径をポリ管５１ａの外径寸法に対応せしめるべく調整する。即ち、ポリ管５１ａの外径寸法が比較的大径の場合には、連結部材１１を外方に引張せしめつつ留具１２を長孔８に沿って可動せしめ、上部掛止孔９に掛止して挟持片２の内径を大に調整せしめる（図４Ａ・Ｂ参照）。このさい、両側の挟持片２及び挟持部材３は、連結部材１１を中心として外側方に若干拡開した状態を呈する。しかるのち、間接活線把持工具６２により把持片７を介して下向き状に把持せしめつつ、ポリ管５１ａにアプロ−チせしめる。そして、図２に示すように、ポリ管５１ａの足部５４ａが下向き状を呈する場合には、ポリ管５１ａの上方より嵌合せしめ、順次ポリ管本体５２を挟持片２間に、足部５４ａを挟持部材３間に嵌合せしめる（図２Ａ・Ｂ参照）。次いで、挟持部材３の外側面を間接活線把持工具６２により把持せしめつつ、係合突起５を係合孔６に係合せしめて取付けを完了する（図２Ｃ、及び図４Ａ参照）。
【００１３】
また、図３に示すように、ポリ管５１ａの足部５４ａが上向き状を呈する場合には、間接活線把持工具６２により把持片７を介して下向き状に把持せしめつつ、順次足部５４ａを連結部材１１の挟持部１３ａに、また、ポリ管本体５２を挟持片２間に嵌合せしめる （図３Ａ・Ｂ参照）。しかるのち、間接活線把持工具６２により挟持部材３を把持せしめ、係合突起５を係合孔６に係合せしめて取付けを完了する（図３Ｃ及び図４Ｂ参照）。
【００１４】
なお、図５に示すように、ポリ管５１ｂが比較的小径の場合には、連結部材１１を内方に押圧せしめつつ、留具１２を長孔８に沿って内方に可動せしめ、下部掛止孔１０に掛止して挟持片２の内径を小に調整せしめたのち、上記と同様に操作してポリ管５１ｂに取付けるとよい。
【００１５】
図６及び図７は本発明の他の実施例を示す落下防止具１ｂで、足部５４ｂの大なポリ管５１ｃを取付けるべく挟持部材３の挟持部４ｂと連結部材１１の挟持部１３ｂとが各々大とされた点が上記実施例と相違し、他の部分は同一であり、同一符号は同一部分を示す。
なお、上述の如く構成された実施例は、前記実施例と同様に操作してポリ管５１ｃに取付けるとよい（図７Ａ・Ｂ参照）。
【００１６】
【発明の効果】
請求項１記載の発明によれば以上の次第で、足部付き防護管を挟持せしめるべく略半筒状とされた両側一対の挟持片よりなり、上記各挟持片の一側部はその内径を自由に調整せしめるべく調整手段を介して連結部材により連結されると共に、各挟持片の他側部には足部を挟持せしめるべく互いに係着自在な挟持部材が対向状に突設され、上記調整手段は、両側の挟持片の各々にその周方向に沿って形成されていて且つ少なくとも両端に掛止孔が連通状に設けられている長孔と、該各長孔に嵌合せしめつつ所要の掛止孔に掛止せしめるべく連結部材の両側に各々突設された留具とより構成れているから、ポリ管の外径に応じて留具を長孔に嵌合して所要の掛止孔に掛止せしめることにより挟持片の内径を適宜調整せしめつつ、ポリ管のポリ管本体を挟持片間に、同足部を挟持部材間に各々嵌合せしめると共に、係着手段を介して挟持部材を係着せしめることによりポリ管本体および足部を挟持せしめることが出来るものであって、常にその取付けを迅速、かつ、確実に行うことが出来、落下防止機能を有効に発揮せしめることが出来るものである。
【００１７】
請求項２記載の発明によれば以上の次第で、挟持部材に対向すべく連結部材には足部を挟持せしめる挟持部が形成されているから、架空配電線に取付けられたポリ管の足部が下向き状態を呈する場合には挟持部材により、また、同足部が上向き状態を呈する場合には連結部材の挟持部により挟持せしめることが出来るものであって、足部の向きに拘らず常に確実に取付けることが出来るものである。
【００１８】
請求項３記載の発明によれば以上の次第で、挟持片の少なくとも一方には把持片が突設されているから、ヤットコなど間接活線把持工具により把持片を把持せしめることにより間接活線工法的に取付け作業を行うことが出来るものであって、常に落下防止具の取付け作業を極めて安全に行うことが出来るものである。
【図面の簡単な説明】
【図１】  本発明の一実施例を示す落下防止具１ａの斜視図である。
【図２】  実施例の落下防止具１ａを足部５４ａが下向き状態とされたポリ管５１ａに取付ける状態を示す斜視図である。
【図３】  実施例の落下防止具１ａを足部５４ａが上向き状態とされたポリ管５１ａに取付ける状態を示す斜視図である。
【図４】  実施例の落下防止具１ａを足部５４ａが下向き状、及び上向き状態とされたポリ管５１ａに各々取付けた状態を示す横断面図である。
【図５】  実施例の落下防止具１ａの内径を調整せしめると共に、足部５１ａが下向き状、及び上向き状のポリ管５１ｂに各々取付けた状態を示す横断面図である。
【図６】  本発明の他の実施例を示す落下防止具１ｂの斜視図である。
【図７】  実施例の落下防止具１ｂを足部５４ｂが下向き状及び上向き状のポリ管５１ｃに各々取付けた状態を示す横断面図である。
【図８】  従来例を示す斜視図である。
【図９】  従来例の取付け状態を示す斜視図である。
【符号の説明】
１ａ・１ｂ  落下防止具
２  挟持片
３  挟持部材
５  係合突起
６  係合孔
７  把持片
８  長孔
９  上部掛止孔
１０  下部掛止孔
１１  連結部材
１２  留具
１３ａ・１３ｂ  挟持部
５１ａ・５１ｂ・５１ｃ  ポリ管
５２  ポリ管本体
５４ａ・５４ｂ  足部
【図１】
0004346247.tif 000002
【図２】
0004346247.tif 000003
【図３】
0004346247.tif 000004
【図４】
0004346247.tif 000005
【図５】
0004346247.tif 000006
【図６】
0004346247.tif 000007
【図７】
0004346247.tif 000008
【図８】
0004346247.tif 000009
【図９】
0004346247.tif 000010